(57)【要約】【課題】予めデータベースに登録されていない情報であっても、ユーザに当該情報を提供することができる情報提供装置を提供する。【解決手段】地図データ上でＰＯＩ情報を管理するデータベース１と、車両の走行データを示すプローブデータを複数の車両から収集するプローブデータ収集手段と、プローブデータ収集手段により収集されたプローブデータに基づき、複数の車両が立ち寄った立ち寄り地点を特定する地点特定手段と、データベース１で管理されているＰＯＩ情報が登録されていない立ち寄り地点の情報を車両のユーザに提供する提供手段とを備える。【選択図】  図１
2013025517.tif 000002
【特許請求の範囲】
【請求項１】
地図データ上でＰＯＩ情報を管理するデータベースと、
車両の走行データを示すプローブデータを複数の車両から収集するプローブデータ収集手段と、
前記プローブデータ収集手段により収集されたプローブデータに基づき、前記複数の車両が立ち寄った立ち寄り地点を特定する地点特定手段と、
前記データベースで管理されているＰＯＩ情報が登録されていない前記立ち寄り地点の情報を車両のユーザに提供する提供手段とを備える
ことを特徴とする情報提供装置。
【請求項２】
前記地点特定手段は、
前記プローブデータ収集手段により収集されたプローブデータに基づき、所定の地点における車両の数を演算し、
演算された車両の数が所定の数より多い場合に、前記所定の地点を前記立ち寄り地点として特定する
ことを特徴とする請求項１記載の情報提供装置。
【請求項３】
前記地点特定手段は、
前記プローブデータ収集手段により収集されたプローブデータに基づき、所定の地点における車両の停車回数を演算し、
演算された車両の停車回数が所定の停車回数より多い場合に、前記所定の地点を前記立ち寄り地点として特定する
ことを特徴とする請求項１記載の情報提供装置。
【請求項４】
前記地点特定手段は、
前記プローブデータ収集手段により収集されたプローブデータに基づき、所定の地点における前記車両の停車時間を演算し、
演算された車両の停車時間が所定の停車時間より長い場合に、前記所定の地点を前記立ち寄り地点として特定する
ことを特徴とする請求項１に記載の情報提供装置。
【請求項５】
前記データベースにより管理され、前記立ち寄り地点の周囲の場所に登録されているＰＯＩ情報を用いてウェブ検索を行い、検索結果に基づいて前記立ち寄り地点に関連する情報を推定する情報検索推定手段をさらに備え、
前記提供手段は、
前記情報検索推定手段により推定された情報を、前記立ち寄り地点と対応させて前記ユーザに提供する
ことを特徴とする請求項１〜４のいずれか一項に記載の情報提供装置。
【請求項６】
前記提供手段は、
前記データベースにより管理され、前記立ち寄り地点の周囲の場所に登録されているＰＯＩ情報を前記ユーザに提供する
ことを特徴とする請求項１〜５のいずれか一項に記載の情報提供装置。
【請求項７】
前記車両に設けられるディスプレイと、前記ディスプレイを制御する制御手段とをさらに備え、
前記制御手段は、
前記ユーザの操作に基づいて、前記ディスプレイに表示される地図上に前記立ち寄り地点を表示させる
ことを特徴とする請求項１〜６のいずれか一項に記載の情報提供装置。
【請求項８】
前記地点特定手段は、
前記プローブデータ収集手段により収集されたプローブデータに基づき、所定の数の車両が立ち寄った第１の立ち寄り地点と、前記所定の数の車両より多い車両が立ち寄った第２の立ち寄り地点とを特定する
ことを特徴とする請求項１〜７のいずれ一項に記載の情報提供装置。
【請求項９】
前記車両に設けられるディスプレイと、前記ディスプレイを制御する制御手段とをさらに備え、
前記制御手段は、
前記第１の立ち寄り地点と前記第２の立ち寄り地点とを異なる表示形式で前記ディスプレイに表示させる
ことを特徴とする請求項８に記載の情報提供装置。
【発明の詳細な説明】
【技術分野】
【０００１】
本発明は、情報提供装置に関するものである。
【背景技術】
【０００２】
ネットワークに接続され、地図データをモニタに表示する車載端末装置と、通信部によりユーザと相互通信を行い、施設情報データベースに各施設の情報を格納し、ユーザの検索要求により施設情報データベースに格納された施設情報を検索して、ユーザが上記通信部を介して送信してきた施設情報を上記施設情報データベースに登録する施設情報管理センタ装置とを備え、施設情報管理センタ装置が車載端末装置から検索の要求を受けた施設の情報を検索し、結果を車載端末装置に送信するとともに、ユーザからの施設情報を施設情報管理センタ装置に登録する施設情報紹介・登録システムが知られている（特許文献１）。
【先行技術文献】
【特許文献】
【０００３】
【特許文献１】特開２００４−４６５４７号公報
【発明の概要】
【発明が解決しようとする課題】
【０００４】
しかしながら、施設情報記憶手段に予め記憶された施設情報しか、ユーザに提供することができない、という問題があった。
【０００５】
本発明が解決しようとする課題は、予めデータベースに登録されていない情報であっても、ユーザに当該情報を提供することができる情報提供装置を提供することである。
【課題を解決するための手段】
【０００６】
本発明は、プローブデータに基づき、複数の車両が立ち寄った立ち寄り地点を特定し、データベースで管理されているＰＯＩ情報が登録されていない当該立ち寄り地点の情報を車両のユーザに提供することによって上記課題を解決する。
【発明の効果】
【０００７】
本発明によれば、複数の車両から収集したプローブデータに基づいて、ユーザにとって価値のある地点を特定するため、特定された地点のＰＯＩ情報がデータベースに登録されていない場合であっても、当該特定された地点の情報をユーザに提供することができる。
【図面の簡単な説明】
【０００８】
【図１】本発明の実施形態にかかる情報提供装置のブロック図である。
【図２】図１のデータベースに含まれるＰＯＩ情報のデータ構造示す図である。
【図３】図１のデータベースで管理されるプローブデータ、ＰＯＩ情報及び立ち寄り地点の情報を説明するための図であって、地図データの一部を示す概要図である。
【図４】図１のサーバにおける、制御手順を示すフローチャートである。
【図５】図１の車両における、制御手順を示すフローチャートである。
【図６】本発明の他の実施形態の情報提供装置のうちサーバにおける、制御手順を示すフローチャートである。
【図７】本発明の他の実施形態の情報提供装置のうち車両における、制御手順を示すフローチャートである。
【発明を実施するための形態】
【０００９】
以下、本発明の実施形態を図面に基づいて説明する。
【００１０】
《第１実施形態》
図１は情報提供装置のブロック図を示す。図１に示すように、本例の情報提供装置は、サーバ１００側の構成と、車両２００側の構成により構成されている。サーバ１００は、データベース１と、制御部２とを備えている。車両２００は、ディスプレイ３と、制御部４とを備えている。サーバ１００は複数の車両と通信をしつつ、施設情報、各種車両との間で取得した情報等を管理し、データを蓄積するサーバである。また車両２００は、図示しない通信部によりサーバ２００と通信を行うことができる車両である。
【００１１】
まずサーバ１００の構成について説明する。データベース１には、地図データ及び施設情報を示すＰＯＩ情報が記録されている。地図データ及びＰＯＩ情報について、サーバ１００の管理者は、最新の地図データ及び最新のＰＯＩ情報を記録した記録データを、データベース１に記録されているデータの上に書き換えることで地図データ及びＰＯＩ情報を更新する。
【００１２】
ここで、ＰＯＩ情報の例を、図２に示す。図２は、データベース１に含まれるＰＯＩ情報の一例を示すデータ構造である。ＰＯＩ情報には複数の属性情報が割り当てられており、例えば図２に示すように、１つのＰＯＩ情報に対して、名称、緯度経度、施設情報、電話番号が属性情報として割当てられている。例えば地点ＡのＰＯＩ情報として、名称に「ホテル下田」、経度緯度に「東経１３５度×分×秒、北緯３６度×分×秒」、カテゴリーに「ホテル」、電話番号に「＊＊−＊＊＊＊−＊＊＊＊」が格納されている。
【００１３】
図２に示すようなＰＯＩ情報は、レストランなどの商業的な情報や市役所など公的な情報を表している。一方、夕日が綺麗な場所や、景色がきれいな場所、無料駐車場などの、商業的な施設情報や公的施設の情報ではない情報は、ＰＯＩ情報として割当てられていない。そのため、ＰＯＩ情報からは、商業的でもなく公的でもない施設を検索することができない。あるいは、ＰＯＩ情報が予め登録されるような商業的な施設及び公的な施設が新規に設立された場合には、地図データの更新の際に、ＰＯＩ情報が新規な施設情報に付された上で地図データに更新される。一方、商業的な施設情報や公的施設の情報ではない情報は、地図データの更新のタイミングとは関係なく、口コミ等によって価値が高まる情報であるため、ＰＯＩ情報が適切なタイミングで登録されない、という背景がある。
【００１４】
図１に戻り、制御部２は、プローブデータ収集部２１と、地点特定部２２と、検索推定部２３と、登録部２４と、通信部２５とを備えている。制御部２は、複数の車両２００と通信を行って、複数の車両の走行データを収集しデータベース１にデータを格納しつつ、車両のユーザの要求に応じてデータベース１で管理されるデータをユーザに提供するためのコントローラであって、サーバ１００の全体を制御するコントローラである。
【００１５】
プローブデータ収集部２１は、車両２００から送信されるプローブデータを受信することで、複数の車両２００のプローブデータを収集する。プローブデータには、車両２００の走行経路、走行時刻、車両の速度、ステアリングの操舵角、ブレーキ等の
車両の走行データを示すデータである。プローブデータには、車両毎に識別記号（ＩＤ）が付されており、プローブデータ収集部２１は、プローブデータとＩＤとを対応させて、データベース１に格納する。プローブデータは、車両２００が走行している間に、車両２００に設けられる車速センサ（図示しない）、車両２００に設けられるＧＰＳ装置など検出値に基づいて周期的に検出される。そして、車両２００からサーバ１００へのプローブデータの送信は、所定の周期で送信してもよく、または、車両２００が停車したときに送信してもよい。なお、車両２００がバッテリを駆動源とする電気自動車などの場合には、プローブデータに当該バッテリの充電状態（ＳＯＣ：Ｓｔａｔｅ  ｏｆ  Ｃｈａｒｇｅ）を含めてもよい。これにより、制御部２はデータベース１に格納したプローブデータから、各車両の走行経路や停車時間を含めた車両２００の走行履歴を把握することができる。
【００１６】
地点特定部２２は、データベース１に格納されたプローブデータから車両２００立ち寄り地点を特定する。立ち寄り地点とは、所定の車両数以上の複数の車両が、所定の時間以上停車した場所であって、当該停車場所にＰＯＩ情報が登録されていない場所である。本例の立ち寄り地点とは、ＰＯＩ情報が付されている、商業的施設あるいは公的な施設ではなく、例えば景色が綺麗な絶景ポイントなど、口コミなどで広がった場所に相当する。
【００１７】
すなわち、地点特定部２２は、複数の車両のプローブデータから、ＰＯＩ情報が登録されていないにもかかわらず、多くの車両が停車して立ち寄った場所を特定する。なお、立ち寄り地点を特定するための制御内容については後述する。
【００１８】
検索推定部２３は、地点特定部２２により特定された立ち寄り地点に関する情報を、立ち寄り地点の周囲のＰＯＩ情報を用いて検索して、立ち寄り地点に関連する情報を推定する。上記の通り、立ち寄り地点は、所定の車両数以上の車両が停車する場所であるため、立ち寄り地点には、多くの車両が停車する理由があると考えられる。また、近年のインターネット環境の発展を背景に、一般のユーザが、自らのブログや口コミサイト等により、観光スポットや飲食店の情報を容易にウェブ上に登録している現状を鑑みると、当該立ち寄り地点に関する情報も、ウェブ上に登録している可能性がある。さらに、立ち寄り地点にはＰＯＩ情報が登録されておらず、名称がない場合があるため、ユーザがウェブ上に書き込む際に、立ち寄り地点の周囲の施設情報の名称を用いて、立ち寄り地点の場所を特定することが考えられる（例えば、「ホテル下田から１ｋｍぐらい県道××号線を北上した場所」）。
【００１９】
そのため、本例において、検索推定部２３は、立ち寄り地点の周囲のＰＯＩ情報に含まれる属性情報をキーワードにして、インターネット上でウェブ検索を行い、検索結果から、立ち寄り地点に関する情報を推測する。
【００２０】
登録部２４は、地点特定部２２により特定された立ち寄り地点と、検索推定部２３により検索された立ち寄り地点に関連する推測情報とを、データベース１に登録する。これにより、本例は、データベース１に、ＰＯＩ情報として登録されておらず、例えば口コミ等で話題になっている場所を登録することができる。
【００２１】
通信部２５は、車両２００と通信を行う通信部であって、車両２００から送信される信号に応じてデータベース１に格納されたデータを車両２００に送信する。例えば、ＰＯＩ情報が付された施設情報及び立ち寄り地点の施設情報を取得したい旨の制御信号がサーバ１に送信された場合に、制御部２は通信部２５により当該信号を受信し、ＰＯＩ情報が付された施設情報及び立ち寄り地点の情報をデータベース１から取得して、通信部２５を介して車両２００に送信する。これによりサーバ１００は、ＰＯＩ情報が付された施設情報及び立ち寄り地点の情報をユーザに提供する。
【００２２】
次に、車両２００の構成を説明する。車両２００は、ディスプレイ３と、制御部４とを備えている。ディスプレイ３は車両２００の車室内に設けられている表示部である。制御部４は、ディスプレイ３を含め車両２００の全体を制御するコントローラである。制御部４は、ユーザの操作指示に基づいて、ＰＯＩ情報が付された施設情報及びＰＯＩ情報が付されていない立ち寄り地点の情報を検索するための制御信号をサーバ２００に送信する。また制御部４は、サーバ２００から検索結果のデータを含む信号を受信すると、ディスプレイ３で表示される地図上に、ＰＯＩ情報が付された施設情報及び立ち寄り地点の情報を表示させる。表示の際、制御部４は、ＰＯＩ情報が付された施設場所と、立ち寄り地点とを異なるマークにより表示させてもよい。
【００２３】
次に、図１〜図３を用いて、本例の情報提供装置の制御内容を説明する。図３は、データベースで管理されるプローブデータ、ＰＯＩ情報及び立ち寄り地点の情報を説明するための図であって、地図データの一部を示す概要図である。なお、図３に示す「Ａ」〜「Ｄ」は、図２の地点「Ａ」〜「Ｄ」に相当する。また図３に記した名称はＰＯＩ情報の名称に相当する。
【００２４】
まず地点特定部２２における、立ち寄り地点を特定する際の制御について説明する。地点特定部２２には、立ち寄り地点を特定するために、閾値となる車両数（以下、車両数閾値と称す）及び閾値となる停車時間（以下、停車時間閾値と称す）が予め設定されている。
【００２５】
地点特定部２２は、ある車両２００のプローブデータから、車両の走行履歴に、停車時間閾値以上の停車時間を含むか否かを判定する。そして、車両の走行履歴に停車時間閾値以上の停車時間を含む場合には、地点特定部２２は、停車した時刻及び停車場所を抽出する。地点特定部２２は、他の車両についても、同様に他の車両の走行履歴から、停車時間閾値以上の停車時間を含むか否かを判定する。すなわち、地点特定部２２は、所定の地点における、車両の停車時間、停車時刻及び停車した車両数を管理する。
【００２６】
地点特定部２２は、プローブデータから抽出した地点において、車両数閾値以上の車両数が停車したか否かを判定する。地点特定部２２は、抽出した所定の地点において、車両数閾値以上の車両数が停車した場合には、データベース１を参照し、当該所定の地点にＰＯＩ情報が登録されているか否か判断する。そして、ＰＯＩ情報が登録されていない場合に、地点特定部２２は、当該所定の地点を、立ち寄り地点として特定する。
【００２７】
また地点特定部２２は、特定した立ち寄り地点と、当該立ち寄り地点の周囲のＰＯＩ情報が付された場所との距離を計測し、計測した距離と距離閾値とを比較する。すなわち、ＰＯＩ情報が付された施設の近距離に車両が集まっている場合には、車両が集まっている地点は例えば当該施設の駐車場として利用されている可能性が高い。そのため、かかる場合には、立ち寄り地点をデータベース１に登録しないよう、地点特定部２２には距離閾値が予め設定されている。そして、地点特定部２２は、特定した立ち寄り地点と周囲のＰＯＩ情報の場所との距離が距離閾値より長い場合には、当該立ち寄り地点を、データベース１に登録する地点であると確定する。
【００２８】
以下、図３を用いて、地点特定部２２の制御内容について説明する。図３に示すように、午後６時から午後７時の間において、車両ａが停車し、５台の車両群ｂが地点Ｂの「東伊豆銀行」に停車し、６台の車両群ｘが地点Ｘに停車していたとする。そして、車両数閾値を４台に設定したと仮定する。
【００２９】
車両ａの停車地点は、ＰＯＩ情報が付された周囲の地点から離れているが、車両ａ、１台しか停車していないため、地点特定部２２は車両ａの停車地点を立ち寄り地点として特定しない。一方、車両群ｂ及び車両群ｘの停車地点では、車両数閾値以上の車両が停止しているため、地点特定部２２は車両群ｂの停車地点及び車両群ｘの停車地点を立ち寄り地点として特定する。車両群ｂの停車地点は、近くにＰＯＩ情報（Ｂ）が付された「東伊豆銀行」があり、車両群ｂの停車地点と地点Ｂまでの距離は距離閾値より小さい。そのため地点特定部２２は、車両群ｂの停車地点を、データベース１への登録対象から除外する。一方、車両群ｘの停車地点には、周囲にＰＯＩ情報（Ａ）が付された「ホテル下田」があるが、車両群ｘの停車地点と地点Ａまでの距離は距離閾値より大きい。そのため、地点特定部２２は、車両群ｘの立ち寄り地点Ｘを、データベース１への登録対象とする。これにより、地点特定部２２は、複数の車両のプローブデータに基づき、複数の車両が立ち寄った立ち寄り地点を特定し、特定した立ち寄り地点をデータベース１への登録対象とするか否かを判断する。
【００３０】
次に、検索推定部２３における、立ち寄り地点の関連情報を推測する際の制御について、図１〜図３を用いて説明する。地点特定部２２により、データベース１への登録対象とする立ち寄り地点が特定されると、検索推定部２３は、立ち寄り地点の周囲のＰＯＩ情報を用いて、ウェブ上で検索を行う。そして、検索推定部２３は、検索結果から、立ち寄り地点に関連する情報を推定する。
【００３１】
例えば、図３において、車両群Ｘに含まれる車両のユーザが自身のブログに「ホテル下田の近くの海岸では、無料駐車場が整備されて、夕日絶景スポットです。」という情報を掲載したと仮定する。そして、検索推定部２３は、立ち寄り地点Ｘの周知に位置付けされている地点ＡのＰＯＩ情報「ホテル下田」をキーワードにして、ウェブ検索を行う。検索の結果、上記のブログの情報「ホテル下田の近くの海岸では、無料駐車場が整備されて、夕日絶景スポットです。」が検索されたとする。かかる場合に、検索推定部２３は、立ち寄り地点Ｘが海沿いに位置していること、車両群ｘの停車時間が夕方の時間帯（午後６時から午後７時）であること、及び、上記のブログの掲載情報から、立ち寄り地点Ｘは「無料駐車場がある夕日絶景ポイント」である、と推定する。
【００３２】
また他の例として、図３において、ホテル下田のホームページに「全室オーシャンビュー」という情報が記載されていると仮定する。検索推定部２３は、上記と同様に、地点ＡのＰＯＩ情報「ホテル下田」をキーワードにして、ウェブ検索を行い、ホテル下田のホームページの情報「全室オーシャンビュー」を検索したとする。かかる場合にも、検索推定部２３は、立ち寄り地点Ｘの場所、車両群ｘの停車時刻、及び、検索結果の情報「全室オーシャンビュー」から、立ち寄り地点Ｘは「夕日絶景ポイント」である、と推定する。
【００３３】
さらに他の例として、図３において、車両群ｘは、午前７時から午前８時の間に停車していた車両群であると仮定する。検索推定部２３は、地点ＤのＰＯＩ情報「下田港」をキーワードにして、ウェブ検索を行い、ＰＯＩ情報が登録されていない食堂の情報を検索したとする。かかる場合に、検索推定部２３は、立ち寄り地点Ｘの場所から検索された食堂の場所より、立ち寄り地点Ｘに食堂があること、立ち寄り地点Ｘの周囲に下田港があること、及び、車両群ｘの停車時間が朝の時間帯であることから、立ち寄り地点Ｘは「朝獲れのおいしい魚が食べられる人気の店がある」と推定する。
【００３４】
そして、登録部２４は、上記のより推測された立ち寄り地点Ｘの推定情報と、立ち寄り地点Ｘの場所の情報とをデータベース４に登録する。制御部４は、ユーザの操作による制御部４からの制御信号に基づいて、データベース１の情報を車両２００に送信することで、立ち寄り地点Ｘの推定情報及び立ち寄り地点Ｘの位置情報をユーザに提供する。
【００３５】
次に、図４及び図５を用いて、本例の情報提供装置の制御手順を説明する。図４は本例の情報提供装置のうちサーバ１００側の制御手順を示すフローチャートであり、図５は本例の情報提供装置のうち車両２００側の制御手順を示すフローチャートである。
【００３６】
図４に示すように、ステップＳ１にて、プローブデータ収集部２１は車両からプローブデータを受信し、プローブデータを収集する。ステップＳ２にて、地点特定部２２は、プローブデータから車両の走行履歴を演算して、車両の停車時間を演算する。そして、地点特定部２２は、車両の停車時間が停車時間閾値より長いか否かを判定する。車両の停車時間が停車時間閾値以下である場合には、本例の制御処理を終了する。
【００３７】
車両の停車時間が停車時間閾値より長い場合には、ステップＳ３にて地点特定部２２は、データベース１の地図データを参照しつつ、停車時間閾値より長く停車した停車地点を抽出する。ステップＳ４にて、地点特定部２２は、ステップＳ３で抽出した停車地点における、停車した車両数を演算する。この際、地点特定部２２は、ステップＳ２で演算された停車時間内で、当該停車地点の停車車両数が最も多くなった車両数を演算する。ステップＳ５にて、地点特定部２２は、演算した車両数が車両数閾値より多いか否かを判定する。車両数が車両数閾値以下である場合には、本例の制御処理を終了する。
【００３８】
車両数が車両数閾値より多い場合には、ステップＳ６にて、地点特定部２２は、データベース１に記録されているＰＯＩ情報を参照して、ステップＳ３で抽出した停車地点にＰＯＩ情報が登録されているか否かを判定する。停車地点にＰＯＩ情報が登録されている場合には、本例の制御処理を終了する。
【００３９】
停車地点にＰＯＩ情報が登録されていない場合には、ステップＳ７にて、地点特定部２２は、停車地点を立ち寄り地点に特定する。ステップＳ８にて、地点特定部２２は、立ち寄り地点から、周囲のＰＯＩ情報の場所までの距離を計測する。ステップＳ９にて、地点特定部２２は、ステップＳ８で計測した計測距離と距離閾値とを比較し、計測距離が距離閾値より長いか否かを判定する。計測距離が距離閾値以下である場合には、本例の制御処理を終了する。
【００４０】
計測距離が距離閾値より長い場合には、地点特定部２２は立ち寄り地点をデータベース１への登録対象として確定させる（ステップＳ１０）。ステップＳ１１にて、検索部推定部２３は、ステップＳ１０で確定した立ち寄り地点の周囲のＰＯＩ情報を用いて、ウェブ検索を行い、検索結果から当該立ち寄り地点に関連する情報を推定する。なお、ステップＳ１１の検索にて、立ち寄り地点に関連する情報が推定されない場合には、推定情報を無しにしてもよい。
【００４１】
ステップＳ１２にて、登録部２４は、地点特定部２２により特定された立ち寄り地点の場所の情報と、検索推定部２３により推定された立ち寄り地点の推定情報とを、立ち寄り地点の情報として、データベース１に登録し、本例の制御処理を終了する。
【００４２】
次に車両２００側の制御手順を説明する。図５に示すように、ステップＳ２１にて、ユーザは、例えば車両２００の現在地を中心に半径１０ｋｍ以内のＰＯＩ情報及び立ち寄り地点の情報を表示する旨の操作行うと、制御部４はユーザの操作に応じた制御信号をサーバ１に送信する。ステップＳ２２にて、制御部４は、通信部２５から送信され、データベース１の立ち寄り地点の情報及びＰＯＩ情報を含む施設情報を含む信号を受信する。ステップＳ２３にて、制御部４は、ディスプレイ３に表示されている地図上に、ＰＯＩ情報が付された場所の情報及び立ち寄り地点の位置情報を表示させる。また制御部４は、立ち寄り地点に関連する推定情報（ステップＳ１０にて、検索推定部２３により推定された情報）を表示する旨の操作がされた場合には、当該推定情報もディスプレイ３に表示させる。
【００４３】
上記のように、本例は、プローブデータに基づき、複数の車両が立ち寄った立ち寄り地点を特定する地点特定部２２と、データベース１で管理されているＰＯＩ情報が登録されていない立ち寄り地点の情報をユーザに提供する通信部２５とを備えている。これにより、本例はＰＯＩ情報としてデータベース１に予め登録されていないが、多くの車両が立ち寄る価値のある場所をユーザに提供することができる。
【００４４】
また本例において、地点特定部２２は、プローブデータに基づき、所定の地点における車両の数を演算し、演算された車両の数が車両数閾値より多い場合に、当該所定の地点を立ち寄り地点として特定する。これにより、立ち寄り地点を特定する精度を高めることができる。
【００４５】
また本例において、地点特定部２２は、プローブデータに基づき、所定の地点における車両の停車時間を演算し、演算された停車時間が停車時間閾値より長い場合に、当該所定の地点を立ち寄り地点として特定する。これにより、立ち寄り地点を特定する精度を高めることができる。
【００４６】
また本例は、立ち寄り地点の周囲の場所に登録されているＰＯＩ情報を用いてウェブ検索を行い、検索結果に基づいて前記立ち寄り地点に関連する情報を推定する情報検索推定部２３を備え、通信部２５は、推定情報を立ち寄り地点と対応させてユーザに提供する。これにより、立ち寄り地点において、なぜ人が集まっているのか、ユーザが把握することができる。
【００４７】
また本例において、通信部２５は、立ち寄り地点の周囲の場所に登録されているＰＯＩ情報をユーザに提供する。これにより、ユーザは、ＰＯＩ情報と立ち寄り地点の情報を把握することができる。
【００４８】
なお、本例において、地点特定部２２は、ステップＳ４にて、停車時間内で、当該停車地点の停車車両数が最も多くなった車両数を演算したが、停車時間内における停車車両数の延べ数、または、停車時間内における単位時間に対する停車車両数を演算し、演算値に基づいて立ち寄り地点を特定してもよい。
【００４９】
また、本例において、地点特定部２２は、それぞれの車両を識別した上で、所定の場所における停車回数を算出し、算出した停車回数に基づいて立ち寄り地点を特定してもよい。これにより、本例は、ある車両が、所定の場所に、多く立ち寄っていることを把握することができるため、ユーザが繰り返し立ち寄る地点を立ち寄り地点に特定することができ、立ち寄り地点を特定する精度を高めることができる。
【００５０】
また、本例において、停車車両数を演算する際に、車両を識別することなく車両数を演算してもよく、また車両を識別した上で算出してもよい。
【００５１】
なお、本例では、登録部２４により、ＰＯＩ情報が登録されていない立ち寄り地点の情報をデータベース１に登録した上で、通信部２５により登録された立ち寄り地点の情報を車両２００に送信したが、ＰＯＩ情報が登録されていない立ち寄り地点の情報を必ずしもデータベース１に登録する必要はなく、また、通信部２５は必ずしもデータベース１に登録していない情報を送信してもよい。すなわち、図５に示す制御フローにおいて、ステップＳ１２を省いた制御フローを省いた上で、車両２００側から立ち寄り地点の情報を取得したい旨の制御信号を通信部２５が受信したことをトリガにして、地点特定部２２によって立ち寄り地点を特定する制御処理と、検索推定部２３によるウェブ検索及び立ち寄り地点の関連情報の推定制御処理行う。そして、通信部２５は、地点特定部２２によって特定された立ち寄り地点及び当該立ち寄り地点に関連する推定情報を、車両２００に送信する。これにより、本例は、立ち寄り地点の情報をデータベース１に登録することなく、ユーザに提供することができる。
【００５２】
また本例は、サーバ２００に設けたプローブデータ収集部２１、地点測定部２２、検索推定部２３、登録部２４及びデータベース１を車両１００に設けてもよい。
【００５３】
また本例において、地点特定部２３は、車両の数、車両の停車回数、または、車両停車時間の少なくとも一つの要素に基づいて、立ち寄り地点を特定すればよい。
【００５４】
上記のプローブデータ収集部２１が本発明の「プローブデータ収集手段」に相当し、地点特定部２２が本発明の「地点特定手段」に、通信部２５が「提供手段」に、情報検索推定部２３が「情報検索推定手段」に相当する。
【００５５】
《第２実施形態》
図６は発明の他の実施形態に係る情報提供装置のうちサーバ１００側の制御手順を示すフローチャートであり、図７は車両２００側の制御手順のフローチャートである。本例では上述した第１実施形態に対して、車両数に応じて、立ち寄り地点の表示形式を変える点が異なる。これ以外の構成は上述した第１実施形態と同じであるため、その記載を援用する。
【００５６】
地点特定部２２は立ち寄り地点で停車した車両数に応じて、人気のある立ち寄り地点を特定し、登録部２４は、人気のある立ち寄り地点をデータベース１に登録する際には、人気があることを示す人気情報を、当該地点に付加した上で登録する。地点特定部２２には、第１の形態と同様に、立ち寄り地点を特定するための、閾値となる車両数（以下、第１の車両数閾値と称す）と、人気のある立ち寄り地点を特定するための、閾値となる車両数（以下、第２の車両数閾値と称す）とが設定されている。第２の車両数閾値には、第１の車両数閾値より高い値が設定されている。これにより、所定の地点において、停車車両の車両数が第１の車両数閾値より多く第２の車両数閾値以下である場合には、当該所定の地点は通常の立ち寄り地点として特定され、停車車両の車両数が第２の車両数閾値より多い場合には、当該所定の地点は人気のある立ち寄り地点として特定される。
【００５７】
また、地点特定部２２は、登録部２４により立ち寄り地点が登録された後も、車両の停車数に応じて、人気のある立ち寄り地点であるか否かを判定する。これにより、所定の地点において立ち寄り地点が特定された後の、当該所定の地点の人気度を車両数に基づき設定することができる。
【００５８】
次に、図６及び図７を用いて、本例の情報提供装置の制御手順を説明する。なお、図６に示すステップＳ１〜Ｓ１２の制御内容は図４に示すステップＳ１〜Ｓ１２の制御内容と同様であり、図７のステップＳ２１〜２３の制御内容は図５のステップＳ２１〜２３の制御内容と同様であるため、説明を省略する。ただし、図４のステップ５の制御処理において、車両数閾値を第１の車両数閾値に置き換える。
【００５９】
ステップＳ７で、第１の車両数閾値に基づき、立ち寄り地点が特定されると、ステップＳ６１にて、制御部２は、特定した立ち寄り地点がデータベース１に既に登録されているか否かを判定する。立ち寄り地点がデータベースに登録されていない場合には、ステップＳ８に遷る。一方、立ち寄り地点がデータベースに登録されている場合には、地点特定部２３は、立ち寄り地点において停車している車両数が第２の車両数閾値より多いか否かを判定する（ステップＳ６２）。車両数が第２の車両数閾値より多い場合には、地点特定部２３は、当該立ち寄り地点を人気のある立ち寄り地点として特定する（ステップＳ６３）。ステップＳ６４にて、登録部２４は、人気のある立ち寄り地点に対応づけて、人気情報を付加する。
【００６０】
ステップＳ６２に戻り、車両数が第２の車両数閾値以下である場合には、ステップＳ６５にて、既に登録された立ち寄り地点に人気情報が登録されている場合には、登録部２４は人気情報を削除する。これにより、データベース１に人気のある立ち寄り地点として登録された後、当該地点の人気度が下がった場合には、人気のある立ち寄り地点から通常の立ち寄り地点に更新されるため、人気度に応じて立ち寄り地点を特定することができる。
【００６１】
次に車両２００側の制御手順について、図７に示すように、ステップＳ２２にて、制御部４がサーバからの信号を受信すると、ステップＳ７１にて制御部４は、受信した信号の立ち寄り地点の情報に人気情報が含まれているか否かを判定する。人気情報が含まれていない場合には、ステップＳ２３にて、第１の実施形態と同様に、ＰＯＩ情報を含む施設場所と立ち寄り地点をディスプレイ３に表示される地図上に表示する。一方、受信した信号の立ち寄り地点の情報に人気情報が含まれている場合には、制御部４は、通常の立ち寄り地点の表示態様より目立つように、人気情報に対応する立ち寄り地点の表示形式を変更する。そして、ステップＳ２３にて、制御部４は、人気情報に対応する立ち寄り地点を、他の通常の立ち寄り地点の表示より目立つように、ディスプレイ３に表示する。
【００６２】
上記のように、本例において、地点特定手段２３は、複数の車両から収集したプローブデータに基づき、人気のある立ち寄り地点を特定する。これにより、本例はＰＯＩ情報としてデータベース１に予め登録されていないが、多くの車両が立ち寄り、さらに人気のある場所をユーザに提供することができる。
【００６３】
また本例は、人気のある立ち寄り地点を、他の立ち寄り地点と異なる表示形式でディスプレイ３に表示させる。これにより、ユーザは表示形式の違いから立ち寄り地点の人気度を把握することができる。
【００６４】
上記の人気のある立ち寄り地点及び通常の立ち寄り地点のうち、一方が本発明の「第１の立ち寄り地点」に、他方が本発明の「第２の立ち寄り地点」に相当する。また、制御部４が本発明の「制御手段」に相当する。
【符号の説明】
【００６５】
１００…車両
１…データベース
２…制御部
２１…プローブデータ収集部
２２…地点特定部
２３…検索推定部
２４…登録部
２５…通信部
２００…車両
３…ディスプレイ
４…制御部
【図１】
2013025517.tif 000003
【図２】
2013025517.tif 000004
【図３】
2013025517.tif 000005
【図４】
2013025517.tif 000006
【図５】
2013025517.tif 000007
【図６】
2013025517.tif 000008
【図７】
2013025517.tif 000009